(57)【特許請求の範囲】
【請求項１】
端子板及び平角線を含む端子板回路であって、端子板の一部の材料を一方の側から他方の側に端子板から完全に分離せずに押しやることによって端子板に平角線が貫通可能な開口部が設けられ、前記開口部を通して平角線の先端の全てが端子板の一方の側から他方の側へ貫通しており、端子板の他方の側に出た平角線の面が、前記開口部を形成するために押しやられた端子板の突出部分の面によって端子板の他方の側の面に対して押付けられていることを特徴とする端子板回路。
【請求項２】
平角線を端子板に押付けた部分が半田付け又は溶接されていることを特徴とする請求項１に記載の端子板回路。
【請求項３】
端子板及び平角線を含む端子板回路であって、端子板に平角線が貫通可能な開口部が設けられ、前記開口部を通して平角線の先端の全てが端子板の一方の側から他方の側へ貫通しており、端子板の他方の側に出た平角線の面が、前記開口部とは異なる場所の端子板の一部の材料を端子板の一方の側から他方の側に端子板から完全に分離せずに押しやることによって形成した端子板の突出部分の面によって端子板の他方の側の面に対して押付けられていることを特徴とする端子板回路。
【請求項４】
平角線を端子板に押付けた部分が半田付け又は溶接されていることを特徴とする請求項３に記載の端子板回路。
【請求項５】
太陽電池パネル用端子箱内で使用されることを特徴とする請求項１〜４のいずれかに記載の端子板回路。
【発明の詳細な説明】
【技術分野】
【０００１】
本発明は、太陽電池パネル用端子箱内のような過酷な環境下でも端子板と平角線の電気的接続状態を確実に保持することができるとともに、製造工程の自動化に適した端子板回路に関する。
【背景技術】
【０００２】
従来、端子板回路において端子板に平角線を電気的に接続するためには、端子板に平角線が貫通する開口部を設け、この開口部に平角線を上又は下から挿入した後、端子板と平角線を電気的に接触させ、接触した部分を半田付け又は溶接することによって行なわれてきた。【０００３】
しかしながら、端子板回路が太陽電池パネル用端子箱内で使用される場合は、その過酷な環境下で極めて長い間、端子板と平角線の電気的接続状態を保持する必要があるため、上記の従来技術の半田付け又は溶接のみによる接続方法では信頼性が十分ではなかった。【０００４】
一方、端子板と平角線の電気的接続状態の信頼性を高める方法としては、端子板への平角線のネジによる固定後に固定部分を半田付けしたり溶接することが行われている。しかし、ネジによる固定は、ネジ穴の設置やネジの取付作業を伴うため、工程が複雑となり好ましくない。【０００５】
これに対して、出願人は、端子板の端部を挟持できる押付け部材によって平角線を端子板に押付け、端子板と平角線の電気的接続状態の信頼性を高めた端子板回路を既に提案した（特許文献１参照）。【０００６】
特許文献１の端子板回路は、端子板と平角線の接続部分の信頼性を極めて高くすることができるが、押付け部材を別途必要とし、製造工程を自動化するにはさらに改良する余地があった。
【先行技術文献】
【特許文献】
【０００７】
【特許文献１】ＷＯ２００９／０８１５０８
【発明の概要】
【発明が解決しようとする課題】
【０００８】
本発明は、かかる従来技術の現状に鑑み創案されたものであり、その目的は、製造工程の自動化に適した方法で端子板と平角線の電気的接続状態の信頼性を高めた端子板回路を提供することにある。
【課題を解決するための手段】
【０００９】
本発明者は、上記目的を達成するために鋭意検討した結果、端子板の一部の材料を一方の側から他方の側へ押しやって形成した突出部分によって端子板を貫通した平角線を端子板に押付けることにより、製造工程の自動化に適した方法で端子板と平角線の電気的接続状態の信頼性を簡単に高めることができることを見出し、本発明の完成に至った。【００１０】
即ち、本発明は、端子板及び平角線を含む端子板回路であって、端子板の一部の材料を一方の側から他方の側に端子板から完全に分離せずに押しやることによって端子板に平角線が貫通可能な開口部が設けられ、前記開口部を通して平角線の先端の全てが端子板の一方の側から他方の側へ貫通しており、端子板の他方の側に出た平角線の面が、前記開口部を形成するために押しやられた端子板の突出部分の面によって端子板の他方の側の面に対して押付けられていることを特徴とする端子板回路である。
【００１１】
また、本発明は、端子板及び平角線を含む端子板回路であって、端子板に平角線が貫通可能な開口部が設けられ、前記開口部を通して平角線の先端の全てが端子板の一方の側から他方の側へ貫通しており、端子板の他方の側に出た平角線の面が、前記開口部とは異なる場所の端子板の一部の材料を端子板の一方の側から他方の側に端子板から完全に分離せずに押しやることによって形成した端子板の突出部分の面によって端子板の他方の側の面に対して押付けられていることを特徴とする端子板回路である。
【００１２】
本発明の端子板回路の好ましい態様では、平角線を端子板に押付けた部分が半田付け又は溶接されており、端子板回路が太陽電池パネル用端子箱内で使用される。
【発明の効果】
【００１３】
本発明の端子板回路は、端子板の一部の材料を一方の側から他方の側へ押しやって突出部分を形成し、この部分を使用して平角線を端子板に押付けているので、別部品を使用せずに簡単な構成で端子板と平角線の電気的接続状態の信頼性を高めることができる。また、本発明の端子板回路は、端子板の開口部に平角線を通し、端子板の突出部分を押付けるだけで信頼性のある電気的接続状態を作ることができるので、製造工程の自動化に極めて適している。
【図面の簡単な説明】
【００１４】
【図１】本発明の端子板回路の第一実施態様の斜視図である。
【図２】本発明の端子板回路の第一実施態様の構成部品の接触状態を示す破断斜視図である。
【図３】本発明の端子板回路の第二実施態様の斜視図である。
【図４】本発明の端子板回路の第二実施態様の構成部品の接触状態を示す破断斜視図である。
【図５】本発明の端子板回路の第三実施態様の斜視図である。
【図６】本発明の端子板回路の第三実施態様の構成部品の接触状態を示す破断斜視図である。
【図７】本発明の端子板回路の第四実施態様の斜視図である。
【図８】本発明の端子板回路の第四実施態様の構成部品の接触状態を示す破断斜視図である。
【図９】本発明の端子板回路の第五実施態様の斜視図である。
【図１０】本発明の端子板回路の第五実施態様の構成部品の接触状態を示す破断斜視図である。
【図１１】本発明の端子板回路の第六実施態様の斜視図である。
【図１２】本発明の端子板回路の第六実施態様の構成部品の接触状態を示す破断斜視図である。
【発明を実施するための形態】
【００１５】
本発明の端子板回路の実施態様を以下図面を参照して説明するが、本発明はこれらに限定されるものではない。
【００１６】
（第一実施態様）
図１は、本発明の端子板回路の第一実施態様の斜視図を示し、図２は、その構成部品の接触状態を示す破断斜視図を示す。図１，２から明らかなように、端子板回路１は、端子板２及び平角線３を含み、端子板２には、端子板の一部の材料を下側から上側に押しやることによって、平角線３が貫通することができかつ横方向に大きく移動できない程度の大きさの開口部４が設けられている。平角線３は、端子板２の下側からこの開口部４に挿入されて端子板２の上側へ貫通されるが、端子板２の上側に出た平角線３は、開口部４を形成するために押しやられた端子板の突出部分５によって、端子板の上側の面及び／又は縁に対して押付けられている。これによって端子板２と平角線３の電気的接続状態が確実になる。
【００１７】
開口部４は、平角線３を下側から上側へ貫通させるまでは平角線３を自由に貫通できるような大きさを有しているが、端子板２と平角線３の電気接続状態を作るときには開口部を形成するために押しやられた端子板２の突出部分５が平角線を押付けることによって狭くなっている。端子板２の突出部分５は、端子板２から完全に分離されていない限り、いかなる形状もとることができ、一部が切除されたり、複数の部分に分かれて構成されていてもよい。ここで重要なことは、端子板２から完全に分離しない端子板２の突出部分５で平角線３を強固に押付けて端子板２と平角線３の電気接続状態を確立することである。端子板２の突出部分５が平角線３を押付ける部分は単一部分に限らず、複数部分でもよく、例えば端子板２の上側の面だけでなく開口部４の上側の縁に対するものを含んでもよい。
【００１８】
本発明の端子板回路１に使用される平角線３は従来公知のものから適宜選択されればよく、端子板２は太陽電池パネル用端子板箱内で使用される場合、そこに搭載されるダイオードの冷却機能を高めるために、図１，２に示すように拡大されていることが好ましい。端子板回路１に使用される他の構成部品は従来公知のものから適宜選択すればよい。
【００１９】
本発明の端子板回路１は、上述のような平角線３への端子板２の突出部分５の押付けに加えて、端子板２と平角線３が電気的に接触した部分を覆うように半田付け又は溶接することによって、さらに強固な端子板２と平角線３の電気的接続状態を作ることができる。
【００２０】
（第二実施態様）
図３は、本発明の端子板回路の第二実施態様の斜視図を示し、図４は、その構成部品の接触状態を示す破断斜視図を示す。上記の第一実施態様では、端子板２の突出部分５は、平角線３が貫通するための開口部４を形成する際に端子板２の下側から上側へ押しやることによって形成されたものであったが、この第二実施態様では、端子板２の突出部分６は、図３，４から明らかなように、平角線３が貫通するための開口部４とは異なる場所の端子板の一部の材料を端子板の下側から上側に端子板から完全に分離せずに押しやることによって形成されている点が大きく異なる。即ち、両実施態様の実質的な違いは、平角線３を押付ける端子板２の突出部分５が、平角線３を貫通するための開口部４から形成されているか、またはそれ以外の部分から形成されているかにある。その他の事項については、第一実施態様と第二実施態様の間に実質的な差はなく、基本的に同じである。
【００２１】
（第三実施態様〜第六実施態様）
図５は、本発明の端子板回路の第三実施態様の斜視図を示し、図６は、その構成部品の接触状態を示す破断斜視図を示す。図７は、本発明の端子板回路の第四実施態様の斜視図を示し、図８は、その構成部品の接触状態を示す破断斜視図を示す。図９は、本発明の端子板回路の第五実施態様の斜視図を示し、図１０は、その構成部品の接触状態を示す破断斜視図を示す。図１１は、本発明の端子板回路の第六実施態様の斜視図を示し、図１２は、その構成部品の接触状態を示す破断斜視図を示す。本発明の第三実施態様〜第六実施態様は、本発明の第二実施態様の端子板２の突出部分６の幾つかの変形例を示したものである。
【００２２】
本発明の第二実施態様では、端子板２の突出部分６は扉状に形成され、その下の平角線３を押付けていたが、第三実施態様では、突出部分６はブリッジ状に突出され、その下の平角線３を押付けており、第四実施態様では、突出部分６は突出したブリッジ部分を中央で分離して観音扉状に形成され、その下の平角線３を押付けており、第五実施態様では、突出部分２は扉状に形成され、開いた扉が開口部４をまたいで平角線３を押付けており、第六実施態様では、突出部分２は端子板２の端部を下側から上側に折り返して形成され、その下の平角線３を押付けている。その他の事項については、本発明の第一実施態様や第二実施態様と基本的に同じである。
【産業上の利用可能性】
【００２３】
本発明の端子板回路は、別部品を使用しなくても簡単な方法で端子板と平角線の電気的接続状態の信頼性を高めることができるので、太陽電池パネル用端子箱の製造工程の自動化のために好適に採用することができる。
【符号の説明】
【００２４】
１  端子板回路
２  端子板
３  平角線
４  開口部
５  突出部分
６  突出部分
【図１】
0005406843.tif 000002
【図２】
0005406843.tif 000003
【図３】
0005406843.tif 000004
【図４】
0005406843.tif 000005
【図５】
0005406843.tif 000006
【図６】
0005406843.tif 000007
【図７】
0005406843.tif 000008
【図８】
0005406843.tif 000009
【図９】
0005406843.tif 000010
【図１０】
0005406843.tif 000011
【図１１】
0005406843.tif 000012
【図１２】
0005406843.tif 000013